(57)【特許請求の範囲】
【請求項１】
巻取シート状物を支持する受台とともに車体に搭載され、使用済みの残芯を受ける昇降自在な残芯受台を有する巻取シート状物無人搬送車の残芯回収装置において、
前記残芯受台が、前記車体上に設けたパンタグラフ機構により昇降可能とされ、
前記パンタグラフ機構が、上下三段以上かつ前後二列以上のリンク群で構成され、
前記前後二列以上のリンク群の相互間に設けた昇降用シリンダが、最下段のリンクの上端に位置する関節の近傍と下から三段目のリンクの下端に位置する関節の近傍との間に接続され、
前記前後二列以上のリンク群の各関節のうち前記昇降用シリンダと干渉する位置にある関節が、前記前後二列以上のリンク群の相互間を接続することなく上下に配置されたリンクのみを接続し、
前記最下段のリンクと昇降用シリンダとを接続するピンの位置が、前記パンタグラフ機構の最下降時にその直近の関節より下にオフセットされ、
前記下から三段目のリンクと昇降用シリンダとを接続するピンの位置が、前記パンタグラフ機構の最下降時にその直近の関節より上にオフセットされていることを特徴とする巻取シート状物無人搬送車の残芯回収装置。
【発明の詳細な説明】
【技術分野】
【０００１】
本発明は、輪転機に供給される新聞巻取紙や、加工機に供給される合成樹脂フィルムや布、金属ストリップ等のような、巻芯の外周に円筒状に巻かれた巻取シート状物を支持する受台とともに車体に搭載され、使用済みの残芯を受ける昇降自在な残芯受台を有する巻取シート状物無人搬送車の残芯回収装置に関するものである。
【背景技術】
【０００２】
従来、輪転機にかけられる新聞巻取紙は、床面上を走行する無人搬送車によって、新聞巻取紙の保管場所から輪転機の設置されている場所まで搬送されている。
【０００３】
そして、これらの無人搬送車の車体上には、輪転機で新聞巻取紙を使い切って残った残芯を回収するための残芯回収装置が搭載されている。前記残芯回収装置は、受台の側方位置に設けられた残芯受台、及び、これを昇降させるパンタグラフ機構を備えており、残芯受台の上昇位置において、その上面に設けられている芯受金具上に残芯を輪転機から回収するようになっている（例えば、特許文献１参照）。
【特許文献１】特開平１０−１６７５３０公報（第２、３頁、図４、１１）
【発明の開示】
【発明が解決しようとする課題】
【０００４】
残芯回収装置は可能な限りコンパクトにすることが望ましく、特に巻取シート状物無人搬送車においてはその最低高さを極力低く抑える必要がある一方、残芯受台を昇降させるパンタグラフ機構の駆動源である昇降用のシリンダは、十分な作動力と作動ストロークを確保する必要があり、残芯回収装置は、その最下降位置においても昇降用のシリンダのスペース確保のためある程度の高さが必要であり、昇降作動時においては昇降用のシリンダとパンタグラフ機構の干渉を避けるため、昇降用のシリンダをパンタグラフ機構の外方まで突出して配置する必要がある等、残芯回収装置のコンパクト化が困難であった。
【０００５】
本発明は、前述したような従来技術の問題を解決するものであって、すなわち、本発明の目的は、残芯回収装置の最下降位置における高さを低くし、昇降用シリンダをパンタグラフ機構の内部に収めるとともにパンタグラフ機構と昇降用シリンダの干渉をなくし、最下降位置から上昇させ始める際の昇降用シリンダの力を小さくし、残芯回収装置をコンパクトとした巻取シート状物無人搬送車の残芯回収装置を提供することである。
【課題を解決するための手段】
【０００６】
請求項１に係る本発明は、巻取シート状物を支持する受台とともに車体に搭載され、使用済みの残芯を受ける昇降自在な残芯受台を有する巻取シート状物無人搬送車の残芯回収装置において、前記残芯受台が、前記車体上に設けたパンタグラフ機構により昇降可能とされ、前記パンタグラフ機構が、上下三段以上かつ前後二列以上のリンク群で構成され、  前記前後二列以上のリンク群の相互間に設けた昇降用シリンダが、最下段のリンクの上端に位置する関節の近傍と下から三段目のリンクの下端に位置する関節の近傍との間に接続され、前記前後二列以上のリンク群の各関節のうち前記昇降用シリンダと干渉する位置にある関節が、前記前後二列以上のリンク群の相互間を接続することなく上下に配置されたリンクのみを接続し、前記最下段のリンクと昇降用シリンダとを接続するピンの位置が、前記パンタグラフ機構の最下降時にその直近の関節より下にオフセットされ、前記下から三段目のリンクと昇降用シリンダとを接続するピンの位置が、前記パンタグラフ機構の最下降時にその直近の関節より上にオフセットされていることにより、前述した課題を解決するものである。
【発明の効果】
【０００７】
本発明の巻取シート状物無人搬送車の残芯回収装置は、残芯受台を車体上のパンタグラフ機構によって昇降可能とすることにより、使用済みの残芯をスムースに回収することができるとともに、以下のような格別の効果を奏することができる。
【０００８】
すなわち、本発明の巻取シート状物無人搬送車の残芯回収装置は、前記残芯受台が、前記車体上に設けられたパンタグラフ機構によって昇降可能とされ、前記パンタグラフ機構が、少なくとも三段二列のリンク群で構成され、前記二列のリンク群の間に設けた昇降用シリンダが、最下段のリンクの上端関節の近傍と下から三段目のリンクの下端関節の近傍との間に接続されることにより、すなわち、残芯受台が車体上に設けたパンタグラフ機構により昇降可能とされ、パンタグラフ機構が上下三段以上かつ前後二列以上のリンク群で構成され、前後二列以上のリンク群の相互間に設けた昇降用シリンダが最下段のリンクの上端に位置する関節の近傍と下から三段目のリンクの下端に位置する関節の近傍との間に接続されていることにより、パンタグラフ機構の二列以上のリンクの範囲内に昇降のための構成を収めることができるとともに、昇降用のシリンダをその伸縮方向においてもパンタグラフ機構の内部に収めることができ、残芯回収装置全体をコンパクトにすることができる。
【０００９】
また、前記二列のリンク群の各関節のうち前記昇降用シリンダが干渉する関節が、上下のリンクのみ接続され二列の前後を接続するピンが設けられていないことによって、すなわち、前後二列以上のリンク群の各関節のうち昇降用シリンダと干渉する位置にある関節が前後二列以上のリンク群の相互間を接続することなく上下に配置されたリンクのみを接続していることによって、最下降位置においても昇降用シリンダを上下方向でパンタグラフ機構自体の最下降位置における高さの範囲内に収めることができ、最下降位置での最小高さを低くすることができる。
【００１０】
加えて、前記最下段のリンクの前記昇降用シリンダを接続するピンの位置が、前記パンタグラフ機構の最下降時にその直近の関節より下にオフセットされ、前記下から三段目のリンクの前記昇降用シリンダを接続するピンの位置が、前記パンタグラフ機構の最下降時にその直近の関節より上にオフセットされていることにより、すなわち、最下段のリンクと昇降用シリンダとを接続するピンの位置がパンタグラフ機構の最下降時にその直近の関節より下にオフセットされ、下から三段目のリンクと昇降用シリンダとを接続するピンの位置がパンタグラフ機構の最下降時にその直近の関節より上にオフセットされていることにより、それぞれのリンクと接続するピンとそれぞれの関節を結ぶ方向と、最下降位置において昇降用シリンダの力の作用する方向とがなす角度を大きくすることができるため、最下降位置から上昇させ始める際の力が小さくでき、昇降用シリンダ自体をコンパクトにすることができる。
【００１１】
なお、本明細書において、パンタグラフ機構の「段」の数とは、二つのリンクをそれぞれの中間の関節で回動自在に接続したリンク対を「一段」とし、リンク対のそれぞれのリンクの端部と他のリンク対のそれぞれのリンクの端部とを関節で回動自在に接続して上下に重ねたリンク対の数のことを言い、パンタグラフ機構の「列」の数とは、一段以上で構成されたリンク群を、平行に並べた数のことを言う。
【発明を実施するための最良の形態】
【００１２】
本発明の巻取シート状物無人搬送車の残芯回収装置は、パンタグラフ機構が上下三段以上かつ前後二列以上のリンク群で構成され、前記前後二列以上のリンク群の相互間に設けた昇降用シリンダが最下段のリンクの上端に位置する関節の近傍と下から三段目のリンクの下端に位置する関節の近傍との間に接続され、前後二列以上のリンク群の各関節のうち前記昇降用シリンダと干渉する位置にある関節が前後二列以上のリンク群の相互間を接続することなく上下に配置されたリンクのみを接続し、最下段のリンクと昇降用シリンダとを接続するピンの位置がパンタグラフ機構の最下降時にその直近の関節より下にオフセットされ、下から三段目のリンクと昇降用シリンダとを接続するピンの位置がパンタグラフ機構の最下降時にその直近の関節より上にオフセットされ、残芯回収装置の最下降位置における高さを低くし、昇降用シリンダをパンタグラフ機構の内部に収めるとともにパンタグラフ機構と昇降用シリンダの干渉をなくし、最下降位置から上昇させ始める際の昇降用シリンダの力を小さくし、残芯回収装置をコンパクトとするものであれば、その具体的な実施態様は、如何なるものであっても何ら構わない。
【００１３】
すなわち、本発明の巻取シート状物は、巻芯の外周に円筒状に巻かれた巻取シート状物であれば良く、新聞巻取紙であっても良く、合成樹脂フィルムや布、金属ストリップ等であっても良い。
また、パンタグラフ機構のリンク群の上下方向の段数は三段以上であれば良く、前後方向の列数は二列以上であれば良い。
【実施例】
【００１４】
以下に、本発明の一実施例である巻取シート状物無人搬送車の残芯回収装置について図面に基づいて説明する。
図１は、本発明の適用される無人搬送車の正面概要図であり、図２は、図１に示す無人搬送車の残芯回収装置の側面概要図であり、図３は、残芯回収装置のパンタグラフ機構の上昇時の斜視図であり、図４は、残芯回収装置のパンタグラフ機構の上昇時の模式説明図であり、図５は、残芯回収装置のパンタグラフ機構の最下降時の模式説明図である。
【００１５】
まず、本発明の一実施例である巻取シート状物無人搬送車は、図１に示すように、無人搬送車１００は、車体１１０上に新聞巻取紙Ｐを支持する受台１２０がシリンダ装置（図示せず）で駆動される昇降機構１３０によって昇降自在に設けられている。
【００１６】
前記受台１２０は、その上昇位置で新聞巻取紙Ｐを輪転機（図示せず）へ受け渡し、また、途中まで使用した新聞巻取紙Ｐを輪転機から回収するとともに、最下降位置で無人搬送車１００を走行させて輪転機と新聞巻取紙Ｐの保管場所との間で新聞巻取紙Ｐを搬送するようにしている。
【００１７】
また、図１、２に示すように、無人搬送車１００には、輪転機に供給された新聞巻取紙Ｐを完全に使い切って残った残芯Ｃを回収するための残芯回収装置２００が設けられており、残芯回収装置２００は、残芯受台２１０が車体１１０の側方から突出した位置で前記受台１２０と同様に、シリンダ装置で駆動されるパンタグラフ機構２３０によって昇降自在に設けられている。
【００１８】
図３に示すように、本発明の一実施例である残芯回収装置２００は、車体１１０に取り付けられる基体２２０、残芯受台２１０、基体２２０に対して残芯受台２１０を昇降させるパンタグラフ機構２３０からなり、パンタグラフ機構２３０は、二列三段のリンク２３１Ａ、２３１Ｂ、２３２Ａ、２３２Ｂ、２３３Ａ、２３３Ｂ、各列のリンク群のそれぞれのリンクを回動可能に接続する関節２４１、２４３、２４５、二列のリンク群の対応する関節を相互に接続するピン２５６、二列のリンク群の間に設けた昇降用シリンダ２５０、この昇降用シリンダ２５０をリンクに接続するピン２５１、２５２を備えている。
昇降用シリンダ２５０は、配管２６０から油圧を供給され伸縮作動する。
【００１９】
また、図４、図５に示すように、本発明の一実施例である残芯回収装置２００は、残芯受台２１０と最上段のリンク２３１Ａとを回動可能に接続する関節２４６、残芯受台２１０と最上段のリンク２３１Ｂとを直線摺動及び回動可能に接続する関節２４８、基体２２０と最下段のリンク２３３Ｂとを回動可能に接続する関節２４７、基体２２０と最下段のリンク２３３Ａとを直線摺動及び回動可能に接続する関節２４９を備えている。
【００２０】
なお、本実施例においては、二列のリンク、関節群のうち、図３における図面視で手前（以降、この明細書中では「前方」と言う。）に位置する各リンク、各関節にのみ符号を付して説明しているが、図３における図面視で奥（以降、この明細書中では「後方」と言う。）に位置する各リンク、各関節も、前方のものと対応した同じ符号が付されるものとし、「前方」、「後方」の記載を省略して説明したものは両者同様の構成である。
【００２１】
次に、本発明の実施例である残芯回収装置２００の各部品の接続構成及び動作の詳細について図３乃至図５に基づいて以下に説明する。
【００２２】
残芯受台２１０には、最上段のリンク２３１Ａの一端である上端が関節２４６を介して回動可能に、最上段のリンク２３１Ｂの一端である上端が関節２４８を介して残芯受台２１０の長手方向に摺動可能かつ回動可能にそれぞれ接続されており、最上段のリンク２３１Ａと最上段のリンク２３１Ｂは、それぞれの中間点で関節２４１を介して回動可能に接続されている。
【００２３】
最上段のリンク２３１Ａの他端である下端には、関節２４２Ａを介して回動可能に中段のリンク２３２Ａの一端である上端が、最上段のリンク２３１Ｂの他端である下端には、関節２４２Ｂを介して回動可能に中段のリンク２３２Ｂの一端である上端がそれぞれ接続されており、中段のリンク２３２Ａと中段のリンク２３２Ｂは、それぞれの中間点で関節２４３を介して回動可能に接続されている。
【００２４】
中段のリンク２３２Ａの他端である下端には、関節２４４Ａを介して回動可能に最下段のリンク２３３Ａの一端である上端が、中段のリンク２３２Ｂの他端である下端には、関節２４４Ｂを介して回動可能に最下段のリンク２３３Ｂの一端である上端がそれぞれ接続されており、最下段のリンク２３３Ａと最下段のリンク２３３Ｂは、それぞれの中間点で関節２４５を介して回動可能に接続されている。
【００２５】
基体２２０には、関節２４９を介して基体２２０の長手方向に摺動可能かつ回動可能に最下段のリンク２３３Ａの他端である下端が、関節２４７を介して回動可能に最下段のリンク２３３Ｂの他端である下端が、それぞれ接続されている。
【００２６】
最上段のリンク２３１Ｂには、関節２４２Ｂの近傍であって、両端の関節２４２Ｂ及び関節２４８の中心を結ぶ線より上方にオフセットした位置に、昇降用シリンダ２５０の一端である上端がピン２５１を介して回動可能に接続され、最下段のリンク２３３Ｂには、関節２４４Ｂの近傍であって、両端の関節２４４Ｂ及び関節２４７の中心を結ぶ線より下方にオフセットした位置に、昇降用シリンダ２５０の他端である下端がピン２５２を介して回動可能に接続されている。
【００２７】
ここで、昇降用シリンダ２５０の両端のピン２５１、２５２の位置の関節２４２Ｂ及び関節２４４Ｂの近傍とは、昇降用シリンダ２５０のストロークの範囲でパンタグラフ機構２３０が最下降位置から最上昇位置に至ることができる範囲の距離を言う。
前記近傍の範囲内であっても、距離が長いと、昇降用シリンダ２５０の作動力は小さくて済むが作動ストロークは長く取る必要があり、逆に距離が短いと作動ストロークは短くて済むがなるが作動力を大きくする必要があるため、前記近傍の範囲内で最適な位置を選択するのが望ましい。
【００２８】
昇降用シリンダ２５０は、前方と後方のリンク群、関節群の間に設けられ、昇降用シリンダ２５０の一端である上端に接続されたピン２５１は前方と後方の最上段のリンク２３１Ｂの間で両方に接続され、昇降用シリンダ２５０の他端である下端に接続されたピン２５２は前方と後方の最下段のリンク２３３Ｂの間で両方に接続され、昇降用シリンダ２５０の作動力を前方と後方の両方のリンク群に伝えるように接続されている。
【００２９】
残芯回収装置２００の昇降時に昇降用シリンダ２５０が干渉しない位置にある、関節２４２Ａ及び関節２４４Ａは、前方と後方のそれぞれの関節をつなぐピン２５６が設けられている。
前方と後方のリンク群、関節群をつなぐピンは、パンタグラフ機構２３０の捩れ方向の強度を担保するものであるが、本発明の実施例のものにおいても、ピン２５１、２５２、２５６が、図４、図５で示す●で表すように、合計４点でほぼ均等に配置されることとなり、また、◎で表す残芯受台２１０及び基体２２０と接続する４つの関節２４６、２４７、２４８、２４９は残芯受台２１０及び基体２２０自体により前後方向は拘束されているため、○で表す昇降用シリンダ２５０が干渉する関節２４２Ｂ、２４３、２４４Ｂにピンが設けられていなくても、捩れ方向の強度に与える影響は無い。
【００３０】
以上の構成により、昇降用シリンダ２５０が干渉する部分には、前方と後方の接続するピンが設けられていないので、昇降用シリンダ２５０を前方及び後方のリンク群、関節群の間に収容しうる最大径のものを採用し作動力を確保しつつ、残芯回収装置２００の昇降時の全ての工程において、昇降用シリンダ２５０は前方及び後方のリンク群、関節群からなるパンタグラフ機構２３０の作動範囲内に収まることとなり、残芯回収装置２００をコンパクトすることができるなど、その効果は甚大である。
【００３１】
さらに、最上段のリンク２３１Ｂにピン２５１を、関節２４２Ｂの近傍であって、両端の関節２４２Ｂ及び関節２４８の中心を結ぶ線より上方にオフセットした位置で接続し、最下段のリンク２３３Ｂにピン２５２を、関節２４４Ｂの近傍であって、両端の関節２４４Ｂ及び関節２４７の中心を結ぶ線より下方にオフセットした位置で接続することにより、図５に示すように、パンタグラフ機構２３０の最下降時に、それぞれのリンク２３１Ｂ、２３３Ｂと接続するピン２５１、２５２とそれぞれの関節２４２Ｂ、２４４Ｂを結ぶ方向Ｓと、最下降位置において昇降用シリンダ２５０の力の作用する方向Ｔとがなす角度θを大きくすることができるため、最下降位置から上昇させ始める際の力が小さくできる。
【００３２】
また、オフセット量を最上段のリンク２３１Ａ、及び、最下段のリンク２３３Ａの上下方向幅より小さく設定すれば、パンタグラフ機構２３０の最下降時の高さを増加させることがないため、オフセットがない場合と同じであり、変える必要がなく、残芯回収装置の最下降位置における高さを低くすることができるなど、その効果は甚大である。
【図面の簡単な説明】
【００３３】
【図１】本発明の適用される無人搬送車の正面図。
【図２】図１に示す無人搬送車の残芯回収装置の側面概要図。
【図３】残芯回収装置のパンタグラフ機構の上昇時の斜視図。
【図４】残芯回収装置のパンタグラフ機構の上昇時の模式説明図。
【図５】残芯回収装置のパンタグラフ機構の最下降時の模式説明図。
【符号の説明】
【００３４】
１００  ・・・無人搬送車
１１０  ・・・車体
１１１  ・・・チェーン進入側係合部
１２０  ・・・受台
１３０  ・・・昇降機構
２００  ・・・残芯回収装置
２１０  ・・・残芯受台
２２０  ・・・基体
２３０  ・・・パンタグラフ機構
２３１Ａ、２３１Ｂ  ・・・最上段のリンク
２３２Ａ、２３２Ｂ  ・・・中段のリンク
２３３Ａ、２３３Ｂ  ・・・最下段のリンク
２４１、２４２Ａ、２４２Ｂ、２４３、２４４Ａ、２４４Ｂ、２４５、
２４７、２４８、２４９  ・・・関節
２５０  ・・・昇降用シリンダ
２５１、２５２、２５６  ・・・ピン
Ｐ    ・・・新聞巻取紙
Ｃ    ・・・残芯
【図１】
0005079455.tif 000002
【図２】
0005079455.tif 000003
【図３】
0005079455.tif 000004
【図４】
0005079455.tif 000005
【図５】
0005079455.tif 000006